(57)【要約】      （修正有）【課題】花弁形状を持ち、緩和の効き目を達成するとともに、美観性を有することが可能な磁石貼布を提供する。【解決手段】磁石部１０、貼布部２０及び台紙部３０を有する磁石貼布１であって、磁石部は、円柱状で、１００〜２２００ガウスの磁束を有し、貼布部は、柔らかい布素材で、粘着面と、環状に配列された５つの花弁部２２とを有し、台紙部は、離形面を有し、且つ、台紙部の中央に、磁石部の輪郭に合わせた開孔を有することによって、磁石部が貼布部の粘着面の中心點に設けられ、台紙部の開孔と磁石部とが結合されるとともに、離形面と粘着面とが結合されている。【選択図】図１
0003225587.tif 000002
【実用新案登録請求の範囲】
【請求項１】
磁石部、貼布部及び台紙部を有する磁石貼布であって、
該磁石部は、円柱状で、１００〜２２００ガウスの磁束を有し、
該貼布部は、柔らかい布素材で、粘着面と、環状に配列された５つの花弁部とを有し、
該台紙部は、離形面を有し、且つ、該台紙部の中央に、該磁石部の輪郭に合わせた開孔を有することによって、該磁石部が該貼布部の該粘着面の中心點に設けられ、該台紙部の開孔と該磁石部とが結合されるとともに、該離形面と該粘着面とが結合される
磁石貼布。
【請求項２】
該磁石部は、面取り部を有する
請求項１に記載の磁石貼布。
【請求項３】
該貼布部は、不織布となる柔らかい布素材で、マイナスに帯電した粒子を有する
請求項１に記載の磁石貼布。
【請求項４】
該台紙部は、カット箇所を有する
請求項１に記載の磁石貼布。
【請求項５】
該台紙部は、印刷面を有する
請求項１に記載の磁石貼布。
【請求項６】
該粘着面は、和のり、油のり及び水のりのうち１種、又は２種以上からなるフィルム層を有する
請求項１に記載の磁石貼布。
【請求項７】
該磁石部の高さは、１〜７ｍｍである
請求項１に記載の磁石貼布。
【請求項８】
該磁石部は、希土類磁石元素を含む
請求項１に記載の磁石貼布。
【請求項９】
これらの花弁部が一体成型されている
請求項１に記載の磁石貼布。
【請求項１０】
該貼布部は、メッシュ構造を有する
請求項１に記載の磁石貼布。
【考案の詳細な説明】
【技術分野】
【０００１】
本考案は、磁石貼布であり、特に、花弁形状を持つ磁石貼布である。
【背景技術】
【０００２】
世界中の科学技術の急速な発展に伴い、大多数の通勤族は、コンピュータを使用する時間がますます多くなっており、コンピュータの前に長時間座り込み、残業してまで仕事をするため、一日の勤務を通して、起き上がって運動する時間は、ほとんど不釣り合いである。その一方、長時間に亘る固定姿勢により、肩が硬直し、ひいては、姿勢不良や運動傷害により、体の各部位でも、硬直や痛みが生じてしまう。
【０００３】
従って、このように筋肉のある部位に硬直や痛みが生じるという問題が発生すると、例えば熱罨、マッサージ、軟膏の塗布や貼布の使用など、様々な手段で緩めさせることが一般的である。これらの中では、当然ながら、一番よく使われるのが貼布である。その理由は、マッサージの殆どが専門家や他の人の助けを必要とする一方、軟膏が人体に残ってトラブルを引き起こし易いからである。そのため、貼布は、現在の人々がよく使う緩和手段になっている。
【０００４】
そして、痛み用の貼布の殆どは、効果を高めるために磁石を追加したり、緩和成分を持つ薬草やエッセンシャルオイルを貼布に浸したものである。こうして、例えば肩の部位、筋肉が緊張する部位やすぐれない部位等、違和感のある場所に貼布を貼ると、緩和させることができる。しかしながら、一部の貼布は、機能に基づいた形状になっていることが多く、効き目は考慮されているものの、美観性が考慮されていないため、使用する場所が衣服で覆われることができない場合は、貼布が露出し、美観性に影響を与えてしまう。
【０００５】
従って、筋肉を緩和する機能と、美観性及び実用性との両立を如何に達成できるかは、本考案の出願人及びこの業界に携わっている関連業者にとって、研究及び改善を熱望するところである。
【考案の概要】
【考案が解決しようとする課題】
【０００６】
そこで、本考案は、花弁形状を持ち、緩和の効き目を達成するとともに、美観性を有することが可能な磁石貼布を提案している。
【課題を解決するための手段】
【０００７】
磁石部、貼布部及び台紙部を有する磁石貼布であって、磁石部は、円柱状で、１００〜２２００ガウスの磁束を有し、貼布部は、柔らかい布素材で、粘着面と、環状に配列された５つの花弁部とを有し、台紙は、離形面を有し、且つ、台紙の中央に、磁石部の輪郭に合わせた開孔を有することによって、磁石部が貼布部の粘着面の中心點に設けられ、台紙の開孔と磁石部とが結合されるとともに、離形面と粘着面とが結合されている。
【０００８】
前記の磁石貼布において、磁石部は、面取り部を有する。
【０００９】
前記の磁石貼布において、貼布部は、不織布となる柔らかい布素材で、マイナスに帯電した粒子を有する。
【００１０】
前記の磁石貼布において、台紙は、カット箇所を有する。
【００１１】
前記の磁石貼布において、台紙は、印刷面を有する。
【００１２】
前記の磁石貼布において、粘着面は、和のり、油のり及び水のりのうち１種、又は２種以上からなるフィルム層を有する。
【００１３】
前記の磁石貼布において、磁石部の高さは、１〜７ｍｍである。
【００１４】
前記の磁石貼布において、磁石部は、希土類磁石元素を含む。
【００１５】
前記の磁石貼布において、５つの花弁部が一体成型されている。
【００１６】
前記の磁石貼布において、貼布部は、メッシュ構造を有する。
【考案の効果】
【００１７】
こうして、本考案が提案した磁石貼布によれば、磁石の磁束が１００〜２０００ガウスに制御され、５つの対称的な花弁部も備えられているため、使用者によって皮膚に貼り付けられた際、外に露出していても、花弁の形の外観は、装飾として使用可能であり、従来の通常磁気ステッカー製品のように、外観が美しくないという原因で、使用者が衣服によって覆われた場所に貼らなければならず、使用勝手が悪くなることがない。
【００１８】
それに、磁石部は、円柱状で、皮膚に接触する面が平らな表面になっているため、使用者によって押されても、皮膚に違和感を感じることがない。また、貼布部のフィルム層は、和のり、油のり及び水のりのうち１種、又は２種以上からなるものが採用されているため、皮膚に粘着された際、違和感が感じられず、剥がした際も、のりが残されない。
【図面の簡単な説明】
【００１９】
【図１】図１は、本考案の磁石貼布の立体模式図である。
【図２】図２は、本考案の磁石貼布の平面図である。
【図３】図３は、本考案の磁石貼布の分解図である。
【図４】図４は、本考案の磁石貼布の側面図である。
【考案を実施するための形態】
【００２０】
本考案は、人体の皮膚部分に用いる磁石貼布を開示したものである。微量の磁束を用いて人体の特定部位を和らげる関連基礎原理は、当業者にとって明かであるため、以下の説明では、完全な形で記述することがない。そして、以下に参照される図面は、言うまでも無く、本考案の特徴に係る構造を模式的に示したもので、完全に実際の寸法に従って描画したものではなく、そうする必要もない。
【００２１】
本考案が提案した磁石貼布１の立体模式図及び平面図である図１及び図２を参照して、この磁石貼布１は、磁石部１０、貼布部２０及び台紙部３０を有する。磁石部１０は、円柱状で、１００〜２２００ガウスの磁束を有する。貼布部２０は、柔らかい布素材で、粘着面２１（図４参照）と、環状に配列された５つの花弁部２２とを有する。台紙部３０は、離形面を有する。図３も参照して、台紙部３０の中央には、磁石部１０の輪郭に合わせた開孔３１を有しており、これによって、この磁石貼布１の側面図である図４に示すように、磁石部１０が貼布部２０の粘着面２１の中心點に設けられ、台紙部３０の開孔３１と該磁石部１０と結合されるとともに、該離形面と該粘着面２１とが結合されている。
【００２２】
特別に説明すべきなのは、透過磁石部は、円柱状で、皮膚に接触する面が平らな表面になっており、使用者によって押されても、皮膚に違和感を感じることがない。磁石部１０は、皮膚に接触した時の快適感を向上させるために、面取り部１１を更に有してもよく、面取り部１１の角度は、５〜６０度に制御されることが好ましい。また、磁石部１０の好ましい高さは、１〜７ｍｍであり、磁石部１０には、希土類磁石元素が含まれており、これによって、筋肉の緩和、リラックス、血液循環の改善を達成できる。
【００２３】
本考案が提案した磁石貼布１が、使用者によって身体に約２〜８日間貼り続けられることが可能なので、一つの好ましい実施例において、貼布部２０は、不織布となる柔らかい布素材で、マイナスに帯電した粒子を有する。そうすると、夏に汗をかきやすい状況の中で、使用者がこの磁石貼布１をはっている時も、通気性が良好で、肌に違和感が生じない。勿論、通気性を更に向上させるニーズがあれば、貼布部は、メッシュ構造を更に有してもよく、そうすると、全体の通気性がより良好になる。それに、貼布部２０が、マイナスに帯電した粒子、つまりマイナスイオン粒子を有しているため、例えば、焦慮の解消、睡眠の質の改善、血圧の低下、代謝の促進、脳の働きの改善、気道の平滑化、胃液分泌の増加、胃腸機能の改善など、人体により多くのメリットをもたらすことができる。更に、粘着面２１は、和のり、油のり及び水のりのうち１種、又は２種以上からなるフィルム層２２を更に有してもよく、そうすると、皮膚に粘着された際、違和感が感じられず、剥がした際も、のりが残されない。
【００２４】
なお、特別に説明すべきなのは、５つの花弁部２２が、一体成型され、且つ対称的な環状配列をなし、花の形として構成されているため、使用者によって皮膚に貼り付けられた際、外に露出していても、花弁の形の外観は、装飾として使用可能であり、従来の通常磁気ステッカー製品のように、外観が美しくないという原因で、使用者が衣服によって覆われた場所に貼らなければならず、使用勝手が悪くなることがない。
【００２５】
一方、使用者が用いる時に台紙部３０を引き裂き、貼布部２０の粘着面２１を皮膚に粘着させ易くするために、この台紙部３０は、カット箇所３２を有してもよく、そうすると、台紙部３０を湾曲或折曲させてこのカット箇所３２を引き裂かれた開口にすれば、使用者がカット箇所３２から台紙部３０を裂き易くなる。
【００２６】
勿論、台紙部３０は、印刷面を有してもよく（不図示）、この印刷面は、事業者のブランド名称や、広告メッセージを印刷可能なものとされてもよく、そうすると、カスタマイズされた注文の売上を増やすことができる。
【００２７】
上述したのは、あくまでも本考案の好ましい実施例に過ぎず、本考案の請求の範囲を制限するためのものではない。そして、以上の説明は、当業者にとって明確かつ実施可能なものであるため、本考案の開示の精神から逸脱することなく成された他の等価的な変更や修正は、いずれも本考案の請求の範囲に含まれるものとする。
【符号の説明】
【００２８】
１    磁石貼布
１０  磁石部
２０  貼布部
３０  台紙部
２１  粘着面
２２  花弁部
３１  開孔
１１  面取り部
３２  カット箇所
２２  フィルム層
【図１】
0003225587.tif 000003
【図２】
0003225587.tif 000004
【図３】
0003225587.tif 000005
【図４】
0003225587.tif 000006